(57)【要約】【課題】コンロ台やシンク台が回転・水平移動してレイアウト変更できると共に、その動きに対応してレンジフードや排気ダクトあるいは給排水管等が可動して機能を発揮し得る。【解決手段】コンロ台１の上部には可動レンジフード２、可動排気ダクト３を有する。可動排気ダクト３は伸縮可能で、可動レンジフード２は天井５に付設するレール６に沿って移動可能である。又可動排気ダクト３の軸方向に対して回動可能な回転継手８を備える。壁体４にはスライド可能なシャッター９を設け可動排気ダクト３を貫通する。レンジフードはレール６が敷設されている一定範囲内で前後左右に移動ができ、この移動に伴って可動排気ダクト３はその長さ及び角度を変化させる。【選択図】図４
2006288475.tif 000002
【特許請求の範囲】
【請求項１】
少なくともコンロ台の上部に設けるレンジフード及びこれに接続する排気ダクトを有し、この排気ダクトが貫通する壁体外部に排気を行なう厨房設備において、
前記排気ダクトは、伸縮可能な可動排気ダクトであり、
前記レンジフードは、天井に付設するレールに沿って移動可能な吊下手段を有すると共に、接続する前記可動排気ダクトの軸方向に対して回動可能な回転継手を備え、
前記壁体には、スライド可能なシャッターを設け、
前記シャッターに前記可動排気ダクトを貫通することを特徴とする厨房設備。
【請求項２】
少なくともコンロ台を備え、その上面若しくは側面の何れか一方又は双方に吸気口を備え、この吸気口に接続する排気ダクトを少なくともコンロ台内部に有する厨房設備において、
前記コンロ台は載置する床面上で平面移動が可能な移動式コンロ台であり、
前記排気ダクトは、前記移動式コンロ台の内部にあって前記コンロ台の平面移動に追随して床下空間に配設する固定排気ダクト方向に軸線を移動し得るダクトユニットであることを特徴とする厨房設備。
【請求項３】
前記ダクトユニットは、フレキシブルダクトと、このフレキシブルダクトと固定排気ダクトを接続する回転継手を有することを特徴とする請求項２記載の厨房設備。
【請求項４】
前記ダクトユニットは、複数の回転継手を短管で接続する折曲ダクトであることを特徴とする請求項２記載の厨房設備。
【請求項５】
少なくともシンク台と、これに隣接する給水栓若しくは給湯栓の何れか一方又は双方を備え、台内部に給水管若しくは給湯管の何れか一方又は双方を有し、シンクに接続する排水管を収納する厨房設備において、
前記シンク台は載置する床面上で平面移動が可能な移動式シンク台であり、
前記給水管又は給湯管は、この移動式シンク台の平面移動に追随して床下空間に配設する固定給水管又は固定給湯管方向に軸線を移動し得るフレキシブル管を有し、
前記排水管は、移動式シンク台の内部にあってシンク台の平面移動に追随して床下空間に配設する固定排水管方向に軸線を移動し得る排水管ユニットであることを特徴とする厨房設備。
【請求項６】
前記排水管ユニットは、複数の回転継手を短管で接続する折曲排水管であることを特徴とする請求項５記載の厨房設備。
【請求項７】
少なくともコンロ台とシンク台、シンク台に隣接する給水栓若しくは給湯栓の何れか一方又は双方を備え、シンク台内部に給水管若しくは給湯管の何れか一方又は双方を有し、シンクに接続する排水管を収納する厨房設備において、
前記コンロ台及び前記シンク台は載置する床面上で夫々平面移動が可能な移動式コンロ台及び移動式シンク台であり、
前記移動式コンロ台は、請求項２記載の移動式コンロ台であってその内部にダクトユニットを備えると共に、請求項１記載のレールに沿って移動可能な吊下手段を有するレンジフード、可動排気ダクト、回転継手及びシャッターを設け、
前記移動式シンク台の給水管又は給湯管は、請求項５記載のフレキシブル管を有し、前記排水管は、請求項５記載の排水管ユニットであることを特徴とする厨房設備。
【発明の詳細な説明】
【技術分野】
【０００１】
この発明は、可動キッチン実現のための可動排気ダクト、可動排水管を備える厨房設備に関するものである。
【背景技術】
【０００２】
近年、自然環境や社会の構造変化に伴い、個々人の価値観や生活意識にも変化が現れ、例えば集合住宅では、省資源・省廃棄を目指し、良質な社会のストックとなる持続可能な建物が高い評価を得るようになってきている。
【０００３】
又、住まい手のワークスタイルや住まい方が変わったり、共に暮らす家族のあり方が変わったとしても、同じ集合住宅に住み続けながら、その変化に応えられる「柔らかな居住空間」づくりが求められている。
【０００４】
こうした動きに応えるため、建物の骨組である躯体や共用部分（スケルトン）と、住宅の内装や設備（インフィル）とを分離した所謂、スケルトン・インフィル住宅（ＳＩ住宅）の研究が進められている。ここでスケルトンとは、構造躯体及び共用設備を示し、インフィルとは、主に住戸の内装や、専用部分のライフライン即ち給排水、ガス、電気等の各配管、専用部分の設備機器即ち流し台、浴室、便所等の機器を示す。
【０００５】
通常想定される自然条件及び維持管理・補修の下でおおむね１００年もの耐久性を持つスケルトンと、自由度の高いインフィルを組み合わせたＳＩ住宅は、時代の変化や住まいの変化に柔軟に対応できるだけでなく、自然環境への負荷の低減にも役立ち、次世代に誇りを持って手渡せる質の高い街の資産となる。即ち、スクラップアンドビルトからの脱却を目指し、循環型社会に相応しい長期耐用型の建物、長期耐久性を持つ躯体に、高い更新性・可変性を備えることで建物の長寿命化を図ることは、自然環境への負荷の低減に貢献するものであり、居住者の生活スタイルの変化に対応し、ライフスタイルや家族のありかたの変化など様々なニーズに応えられる柔軟性を持った居住空間を実現できるものと考えられている。
【０００６】
ここで、スケルトン・インフィル住宅に対応するインフィルとは、ユーザーの多様なライフスタイルに合わせ、あるいはユーザーの変化するライフサイクルに合わせて容易に間取りの変更を可能にするものであり、例えば可動間仕切及び間仕切兼用可動家具などが開発されてきた。これら間仕切兼用可動家具、可動間仕切は、工具を必要とせずに移動可能、あるいはドライバー程度の工具があれば移動可能なインフィルであった。
【０００７】
一方、従来の厨房設備は、コンロ台もシンク台も位置が固定され、レンジフードや排気ダクト、給排水管も可動対応できなかった。又、厨房設備のレイアウト変更や位置の微調整も入居者自ら簡単に行うことはできず、専門業者による大掛かりな改修工事が必要であった。従って、従来のスケルトン・インフィル住宅では厨房位置が固定されるので、生活も固定化され、変化の少ないリビング・ダイニング・キッチン空間であった。
【０００８】
ところで従来の移動可能な厨房設備としては、例えばキャビネットにキャスタを設けて移動可能とする調理キャビネット等が知られている（例えば、特許文献１、特許文献２、特許文献３）。又、移動可能な調理台で内部に換気装置を備えた厨房用調理台（例えば、特許文献４）や、使用者の便宜によりその高さを自由に調節して固定し得る厨房用機器（例えば特許文献５）も提案されている。
【特許文献１】特開２００４−２９０６５６公報（全１０項）
【特許文献２】特開２００４−２６７５００公報（全１２項）
【特許文献３】特開２００４−１２１５９０公報（全７項）
【特許文献４】特開２０００−９３２３６公報（全９項）
【特許文献５】特表２００４−５２０５６４公報(全６８項)
【発明の開示】
【発明が解決しようとする課題】
【０００９】
しかしながら、特許文献１乃至３に記載される調理キャビネットは、料理教室等で使用するもので本体内に給水用タンクや洗浄水受槽を収納する一時的な使用を目的とする厨房設備であり、又特許文献４に記載される厨房用調理台も店内等で加熱調理の際に発生する煙や臭気を店内に拡散しないよう、調理台内部に油吸着用のフィルター、オゾンガスの発生装置等を設けるもので、何れも一般家庭で恒久的な厨房設備として使用することは不適な設備であった。又特許文献５に記載される厨房用機器は高さ調整は可能であるが、平面的な移動は不可能であった。
【００１０】
又キッチンのレイアウトの一例として、中間スペースにシンク台や調理台、コンロ台などのセットを設置するアイランド型キッチンもあるが、この方式の場合、レンジフードは使わない時も固定で露出しており、目障りな存在となっていた。又対面式のオープンタイプ型のキッチンでも、一般にレンジフードのサイドや背面は壁付としていることが多く、コンロ台周囲が完全なオープンな構造にはなっていなかった。又ダイニングテーブルの上でミニガスコンロやホットプレートを使って焼肉や鍋物などを料理しながら食事するような時、従来の固定式レンジフードでは役に立たなかった。
【００１１】
この発明は、かかる点に鑑みてなされたもので、レンジフードの移動が可能な厨房設備を提供することを目的としている。又キッチンを固定したものではなく、コンロ台やシンク台が回転・水平移動してレイアウト変更できると共に、その動きに対応してレンジフードや排気ダクトあるいは給排水管等が可動して機能を発揮し得る厨房設備を提供することを目的としている。
【課題を解決するための手段】
【００１２】
前記課題を解決し、かつ目的を達成するために、この発明は、以下のように構成した。
【００１３】
請求項１に記載の発明は、少なくともコンロ台の上部に設けるレンジフード及びこれに接続する排気ダクトを有し、この排気ダクトが貫通する壁体外部に排気を行なう厨房設備において、前記排気ダクトは、伸縮可能な可動排気ダクトであり、前記レンジフードは、天井に付設するレールに沿って移動可能な吊下手段を有すると共に、接続する前記可動排気ダクトの軸方向に対して回動可能な回転継手を備え、前記壁体には、スライド可能なシャッターを設けこのシャッターに前記可動排気ダクトを貫通することを特徴とするものである。
【００１４】
請求項２に記載の厨房設備は、少なくともコンロ台を備え、その上面若しくは側面の何れか一方又は双方に吸気口を備え、この吸気口に接続する排気ダクトを少なくともコンロ台内部に有する厨房設備において、前記コンロ台は載置する床面上で平面移動が可能な移動式コンロ台であり、前記排気ダクトは、この移動式コンロ台の内部にあってコンロ台の平面移動に追随して床下空間に配設する固定排気ダクト方向に軸線を移動し得るダクトユニットであることを特徴とするものである。
【００１５】
請求項３に記載の厨房設備のダクトユニットは、フレキシブルダクトと、このフレキシブルダクトと固定排気ダクトを接続する回転継手を有することを特徴とするものである。又請求項４記載のダクトユニットは、複数の回転継手を短管で接続する折曲ダクトであることを特徴とするものである。
【００１６】
請求項５記載の厨房設備は、少なくともシンク台と、これに隣接する給水栓若しくは給湯栓の何れか一方又は双方を備え、台内部に給水管若しくは給湯管の何れか一方又は双方を有し、シンクに接続する排水管を収納する厨房設備において、前記シンク台は載置する床面上で平面移動が可能な移動式シンク台であり、前記給水管又は給湯管は、この移動式シンク台の平面移動に追随して床下空間に配設する固定給水管又は固定給湯管方向に軸線を移動し得るフレキシブル管を有し、前記排水管は、移動式シンク台の内部にあってシンク台の平面移動に追随して床下空間に配設する固定排水管方向に軸線を移動し得る排水管ユニットであることを特徴とするものである。
【００１７】
請求項６記載の排水管ユニットは、複数の回転継手を短管で接続する折曲排水管であることを特徴とするものである。
【００１８】
請求項７記載の厨房設備は、少なくともコンロ台とシンク台、シンク台に隣接する給水栓若しくは給湯栓の何れか一方又は双方を備え、シンク台内部に給水管若しくは給湯管の何れか一方又は双方を有し、シンクに接続する排水管を収納する厨房設備において、前記コンロ台及び前記シンク台は載置する床面上で夫々平面移動が可能な移動式コンロ台及び移動式シンク台であり、この移動式コンロ台は、請求項２記載の移動式コンロ台であってその内部にダクトユニットを備えると共に、請求項１記載のレールに沿って移動可能な吊下手段を有するレンジフード、可動排気ダクト、回転継手及びシャッターを設け、移動式シンク台の給水管又は給湯管は、請求項５記載のフレキシブル管を有し、前記排水管は、請求項５記載の排水管ユニットであることを特徴とする厨房設備。
【発明の効果】
【００１９】
前記構成により、この発明は、以下のような効果を有する。
【００２０】
請求項１に記載の発明では、伸縮可能な可動排気ダクトと回転継手を備え、レールに沿って移動可能な吊下手段を有するレンジフードとするので、煙や湯気の発生する加熱調理機器の使用状況に応じての移動が可能であり、調理をする時はレンジフードをコンロ台上部に引き寄せ、使わない時は部屋の隅に寄せておけば、フードが空間的・視覚的に邪魔にならない。
【００２１】
又、コンロ台を移動可能なものとする時、ライフサイクルの中でキッチンの模様替えや、ホームパーティーなどの来客時の一時的なレイアウト変更を、専門業者に頼ることなく、入居者自ら簡単に行うことができる。又コンロ台だけをダイニングテーブルの横に移動して、調理しながら食事することも可能である。
【００２２】
又システムキッチンがレンジフードとの位置的制約から切り離され、固定された設備というより移動可能な家具的存在となり、キッチンがよりクリーンで明るいイメージの空間となる。キッチンを客の視線から隠す必要がなくなり、ダイニング・キッチン空間がよりパブリックな空間となる。レイアウト変更により変化を演出し、生活をより楽しむことができるようになる。
【００２３】
請求項２記載の厨房設備は、移動式コンロ台の内部に軸線を移動し得るダクトユニットを設けるので、排気機能を完全に保持しながらコンロ台を移動することが可能となる。床下排気タイプの場合、コンロ台の上部空間にレンジフードやダクトが露出しないのでシンプルなコンロ周りとなる。又、排気用のファンは室外にあるので室内での運転音がほとんどしない。
【００２４】
請求項３記載の厨房設備におけるダクトユニットは、フレキシブルダクトと回転継手を有するので、簡易な構成の可動排気ダクトを実現できる。又請求項４記載のダクトユニットは、複数の回転継手を短管で接続する折曲ダクトとするので、排気通路を安定的なものとすることができる。
【００２５】
請求項５記載のシンク台は、移動式シンク台の内部に軸線を移動し得るフレキシブル管の給水管・給湯管を有し、又軸線を移動し得る排水管ユニットを設けるので、給排水機能を完全に保持しながらシンク台の移動が可能となる。
【００２６】
請求項６記載の排水管ユニットは、複数の回転継手を短管で接続する折曲排水管とするので、排気通路を安定的なものとすることができる。
【００２７】
請求項７記載の厨房設備は、移動式コンロ台及び移動式シンク台とし、移動式コンロ台内部にはダクトユニットを備えると共に可動排気ダクトと回転継手を備えレールに沿って移動可能な吊下手段を有するレンジフードも備えるので、シンク台とコンロ台を分離して別々に動かすことができる。コンロ台やシンク台を移動してレイアウト変更する場合、その動きに対応してレンジフードや排気ダクトあるいは給排水管等が可動してその機能を十分に発揮し得る。
【発明を実施するための最良の形態】
【００２８】
以下、この発明の厨房設備の実施の形態について説明するが、この発明は、この実施の形態に限定されない。また、この発明の実施の形態は、発明の最も好ましい形態を示すものであり、この発明の用語はこれに限定されない。
【００２９】
図１は可動レンジフードを備えるキッチンの斜視図、図２は可動レンジフードの斜視図である。このキッチンのコンロ台１の上部には、可動レンジフード２及びこれに接続する可動排気ダクト３を有し、この可動排気ダクト３は壁体４を貫通している。
【００３０】
可動排気ダクト３は、伸縮可能な多重管、フレキシブル管、蛇腹管などの構造のダクトを有し、可動レンジフード２は、天井５に付設するレール６に沿って移動可能な吊下手段７を有すると共に、接続する可動排気ダクト３の軸方向に対して回動可能な回転継手８を備える。又壁体４にはスライド可能なシャッター９を設け、このシャッター９に可動排気ダクト３を貫通している。
【００３１】
レンジフードの移動構成を図３乃至図５に基づき説明する。図３はレールに吊下するレンジフードの斜視図、図４はキッチンの平面図、図５はキッチンの断面図である。天井５に取り付けられるＸ軸方向のレール６は、複数本適宜間隔を開けて平行に配置され、図３に示すように、Ｘ軸方向のレール６に対して直交する２本のＹ軸レール６ａ，６ａをＸ軸レール６に沿ってスライド可能に懸架する。
【００３２】
このＹ軸レール６ａに吊下手段７を介して可動レンジフード２を取り付けるので、レール６が敷設されている一定範囲内で前後左右にレンジフードの移動ができる。このレンジフードの移動に伴って可動排気ダクト３はその長さ及び角度を変化させる必要があり、このためレンジフード上部には回転継手８を備え、可動排気ダクト３は伸縮可能な構造とする。
【００３３】
なお、レンジフードは図示しないファンを内蔵して排気を行なうが、図４及び図５に示すように天井裏の排気ダクトの中間に固定式のファン１０を介在させて排気するものでもよい。又、可動排気ダクト３と固定排気ダクト３ａの接続部には、回転継手８ａを設ける。
【００３４】
この回転継手の構成を図６及び図７に示す。図６はレンジフード内部に設ける回転継手の斜視図であり、図７はダクト中間部に設ける回転継手の斜視図である。何れの回転継手８，８ａも、筐体８ｂ内に二重円筒の回転機構を持つスイベルジョイント８ｃを設け、角度変更するダクトの向きに対応して可動する。
【００３５】
次にシャッターの構成を図８に基づき説明する。図８はシャッター部の斜視図である。壁体４に開設する開口部４ａには、スライド可能な複数の板材からなるシャッター９を設け、このシャッター９に可動排気ダクト３を貫通している。シャッター９は壁面を閉鎖状態に保ちながらダクトを水平に振ることができる。
【００３６】
このように可動レンジフードを設けると、調理をする時はレンジフードをコンロ台１上部に引き寄せ、使わない時はキッチンの隅の方に寄せ又は壁内に収納して、目障りにならないようにできる。又コンロ台が移動する際には、これに合わせて移動することができる。また、可動レンジフードは、上下方向にも移動するようにすることができる。
【００３７】
次に床下排気タイプにおける可動ダクトの構成を図９に基づき説明する。図９は床下ダクトを備えるコンロ台と、これに隣接するシンク台の正面図である。図10はシンク台の正面図である。キッチンはアイランド型とし、コンロ台１１及びシンク台１２は分離構造とし、夫々にキャスター１１ａ，１２ａをつけ、独立して移動できる構造としている。コンロ台１１の熱源としては、電磁、電気、ガスなどを使用することができ、集合住宅、戸建住宅、飲食店舗の厨房及び客席等広く適用が可能となる。
【００３８】
コンロ台１１はＩＨクッキングヒーター11a11を設け、コンロ台天板１１ｂ上には吸込口１１ｃと整流フード１１ｄを設置する。ＩＨクッキングヒーター11a11は上昇気流が弱いため、吸込口１１ｃをコンロ台天板１１ｂ上に設置しても整流フード１１ｄを利用すれば吸い込み能力を確保でき、少風量においても効率よく床下から排気することが可能である。
【００３９】
吸込口１１ｃに接続するダクトユニット１３をコンロ台１１の内部に収容し、これを床下空間に配設する固定排気ダクト１４0に接続する。この固定排気ダクト１４0は外部に設置した図示しないファンに接続し排気するが、ファンが室外にあるため、キッチンで排気音はほとんど感じられない。
【００４０】
ダクトユニット１３は、移動式コンロ台１１の平面移動に追随してダクトの軸線を移動し得る構成で、複数の回転継手１３ａを短管１３ｂで接続するスイベルジョイントダクトである。スイベルジョイントダクトはコンロ台１１の動きに合わせて伸縮・回転する仕組である。
【００４１】
シンク台１２は、シンク１２ｂと給水栓１４及び給湯栓１５を備える。給水栓１４及び給湯栓１５に接続する給水管１４ａ、給湯管１５ａは、移動式シンク台１２の平面移動に追随して床下空間に配設する固定給水管１４ｂ、固定給湯管１５ｂ方向に軸線を移動し得るフレキシブル管である。
【００４２】
シンク１２ａに接続する排水管ユニット１６はシンク台１２の平面移動に追随して排水管の軸線を移動し得る構成で、複数の回転継手１６ａを短管１６ｂで接続するスイベルジィント排水管である。
【００４３】
コンロ台のダクトユニットは、フレキシブルダクトを用いるものでもよい。これを図１1に示す。コンロ台１１１内の排気ダクトはフレキシブルダクト１１３と図示しない固定排気ダクトを接続する上下に回転継手１１４を有し、この場合も移動式コンロ台１１１の平面移動に追随してダクトの軸線を移動することができる。
【００４４】
このように可動排気ダクト、可動排水管を備える厨房設備は、ライフサイクルの変化や一時的な使い勝手の変更に応じてレイアウト変更可能な可動キッチンを実現するもので、スケルトン・インフィル住宅におけるシステムキッチンを固定したものではなく、コンロ台やシンク台が回転・水平移動してレイアウト変更できると共にその動きに対応してレンジフード、排気ダクト、給排水管等が可動してその機能を十分に発揮できるものである。
【産業上の利用可能性】
【００４５】
この発明は、スケルトン・インフィル住宅におけるシステムキッチンに適用できるのみならず、必要な配管設備を施せば一般住宅にも適用できる。
【図面の簡単な説明】
【００４６】
【図１】可動レンジフードを備えるキッチンの斜視図である。
【図２】可動レンジフードの斜視図である。
【図３】レールに吊下するレンジフードの斜視図である。
【図４】キッチンの平面図である。
【図５】キッチンの断面図である。
【図６】レンジフード内部に設ける回転継手の斜視図である。
【図７】ダクト中間部に設ける回転継手の斜視図である。
【図８】シャッター部の斜視図である。
【図９】コンロ台とシンク台の正面図である。
【図１０】コンロ台の斜視図である。
【図１１】別の実施形態のコンロ台の正面図である。
【符号の説明】
【００４７】
１  コンロ台
２  可動レンジフード
３  可動排気ダクト
４  壁体
５  天井
６  レール
７  吊下手段
８  回転継手
９      シャッター
１０    ファン
１１    コンロ台
１２    シンク台
１２ａ  シンク
１３    ダクトユニット
１４    給水栓
１４ｂ  固定給水管
１５    給湯栓
１５b  固定給湯管
１６    排水管ユニット
１６ａ 回転継手
１４０ 固定排気ダクト
【図１】
2006288475.tif 000003
【図２】
2006288475.tif 000004
【図３】
2006288475.tif 000005
【図４】
2006288475.tif 000006
【図５】
2006288475.tif 000007
【図６】
2006288475.tif 000008
【図７】
2006288475.tif 000009
【図８】
2006288475.tif 000010
【図９】
2006288475.tif 000011
【図１０】
2006288475.tif 000012
【図１１】
2006288475.tif 000013